(57)【要約】  固体発光デバイス（ＬＥＤ）照明装置を製造する方法は、折畳み相互接続子によって直列に接続されたリードフレームのグループを有するリードフレームアセンブリを形成するステップと、リードフレーム上にＬＥＤを取り付けるステップと、ＬＥＤの周囲に光学素子を配置するステップと、ＬＥＤを離間するように相互接続子が展開するようにリードフレームアセンブリを伸張するステップとを含む。光学素子を配置するステップは、リードフレームアセンブリが伸張された後に、光学素子が所定の光パターンを提供するように、光学素子を方向付けるステップを含む。
2015511774.tif 000002
【特許請求の範囲】
【請求項１】
固体発光デバイス（ＬＥＤ）照明装置を製造する方法であって、
リードフレームアセンブリを形成するステップであって、
リードフレーム基板上に、第１のピッチで離間され、それぞれ１つ以上のパッドを含むリードフレームのグループを形成するステップと、
前記リードフレーム基板上に、初期の折り畳まれた状態にあり、それぞれ２つの隣接するリードフレームを関連付ける相互接続子を形成するステップと、
を含む、前記ステップと、
前記固体発光デバイスを前記リードフレーム上に取り付けるステップと、
前記固体発光デバイスの周囲に光学素子を配置するステップと、
前記固体発光デバイスが前記第１のピッチよりも大きい第２のピッチで離間するように、前記相互接続子が展開するように前記リードフレームアセンブリを伸張するステップと、
を含む、方法。
【請求項２】
前記光学素子を配置するステップは、前記リードフレームアセンブリが伸張された後に、前記光学素子が所定の光パターンを提供するように、前記光学素子を方向付けるステップを含む、請求項１に記載の方法。
【請求項３】
前記光学素子は、双方向性拡散レンズを含み、各双方向性拡散レンズは、拡散軸と、前記拡散軸に垂直であるヌル軸とを有し、各双方向性拡散レンズは、前記ヌル軸よりも前記拡散軸に沿う両方向により多くの光を向け、前記光学素子を配置するステップは、前記拡散軸が伸張軸と整列するように、各双方向性拡散レンズを方向付けるステップを含み、前記伸張軸は、前記リードフレームアセンブリの伸張後に、前記伸張されたリードフレームアセンブリの長さに沿って整列される、請求項１に記載の方法。
【請求項４】
前記拡散軸は、前記リードフレームアセンブリが伸張される前は、前記伸張軸に対し角度が付けられ、前記方法は更に、前記リードフレームアセンブリの幾何学形状及び前記伸張されたリードフレームアセンブリの最終長さに基づいて、前記拡散軸と前記伸張軸との間の角度を決定するステップを含む、請求項３に記載の方法。
【請求項５】
前記拡散軸は、前記リードフレームアセンブリが伸張される前の前記リードフレーム上の前記固体発光デバイスを通過する列軸に対し角度が付けられ、前記方法は更に、前記リードフレームアセンブリの幾何学形状及び前記伸張されたリードフレームアセンブリの最終長さに基づいて、前記拡散軸と前記列軸との間の角度を決定するステップを含む、請求項３に記載の方法。
【請求項６】
前記光学素子を配置するステップは、前記固体発光デバイスの周囲に反射器カップを配置するステップと、前記反射器カップを封入剤で埋めるステップとを含む、請求項１に記載の方法。
【請求項７】
前記光学素子を配置するステップは、前記固定発光デバイス上に前記光学素子を取り付けるステップ、又は、前記固定発光デバイス上に前記光学素子を直接的に成形するステップを含む、請求項１に記載の方法。
【請求項８】
前記リードフレームアセンブリを形成するステップは更に、前記相互接続子の一部と前記リードフレームとを接続する犠牲タイを形成するステップを含み、前記方法は更に、前記固定発光デバイスを取付け、前記光学素子を配置した後に、前記犠牲タイをトリミングするステップを含む、請求項１に記載の方法。
【請求項９】
前記伸張されたリードフレームアセンブリを、反射器に対して固定するステップを更に含む、請求項１に記載の方法。
【請求項１０】
隣接する反射器間の間隙に亘って絶縁ストリップを固定するステップを更に含む、請求項９に記載の方法。
【請求項１１】
前記伸張されたリードフレームアセンブリ及び前記反射器を、透明管内に挿入するステップと、
前記透明管の端に２ピンコネクタを取り付けるステップと、
を更に含む、請求項９に記載の方法。
【請求項１２】
前記固体発光デバイスは、プリパッケージされた発光ダイオード又は裸の発光ダイオードダイである、請求項１に記載の方法。
【請求項１３】
固体発光デバイス（ＬＥＤ）照明装置であって、
伸張されたリードフレームアセンブリを含み、
前記伸張されたリードフレームアセンブリは、
それぞれ１つ以上のパッドを含むリードフレームのグループと、
それぞれ隣接するリードフレームを関連付ける相互接続子と、
前記リードフレーム上に取付けられる固体発光デバイスと、
前記固体発光デバイスの周囲に配置される光学素子と、
を含む、装置。
【請求項１４】
前記光学素子は、双方向性拡散レンズを含み、各双方向性拡散レンズは、拡散軸と、前記拡散軸に垂直であるヌル軸とを有し、各双方向性拡散レンズは、前記ヌル軸よりも前記拡散軸に沿う両方向により多くの光を向け、前記伸張軸は、前記リードフレームアセンブリの伸張後に、前記伸張されたリードフレームアセンブリの長さに沿って整列される、請求項１３に記載の装置。
【請求項１５】
前記光学素子は、前記固定発光デバイスの周囲の反射器カップと、前記反射器カップ内の封入剤とを含む、請求項１３に記載の装置。
【請求項１６】
各相互接続子は、隣接するリードフレームを、機械的及び電気的に直列に接続する、請求項１３に記載の装置。
【請求項１７】
１つ以上の反射器を更に含み、前記伸張されたリードフレームアセンブリは、前記１つ以上の反射器に対して固定される、請求項１３に記載の装置。
【請求項１８】
隣接する反射器間の間隙に亘る絶縁ストリップを更に含む、請求項１７に記載の装置。
【請求項１９】
前記伸張されたリードフレームアセンブリ及び前記反射器を受容する透明管と、
前記透明管の端に取付けられた２ピンコネクタと、
を更に含む、請求項１３に記載の装置。
【請求項２０】
前記固体発光デバイスは、プリパッケージされた発光ダイオード又は裸の発光ダイオードダイである、請求項１３に記載の装置。
【発明の詳細な説明】
【技術分野】
【０００１】
本発明は、蛍光管形電球を置き換えるためのＬＥＤレトロフィット管形電球といった固体発光デバイス（ＬＥＤ）間に大きいピッチ又は空間を有するリニア照明アプリケーション用のアーキテクチャに関する。
【背景技術】
【０００２】
多くの照明アプリケーションにおいて、発光デバイス（ＬＥＤ）ランプは、蛍光灯に取って代わっている。ＬＥＤランプは、より長い寿命、より高いエネルギー効率及びちらつきのない照明を提供する。ＬＥＤランプは更に、水銀を含まず、また、精密機器を妨げない。
【発明の概要】
【発明が解決しようとする課題】
【０００３】
蛍光管形ランプは、一般的に、広い室内領域内に周囲照明を提供するように使用される。これらの管形ランプは、通常、２乃至８フィート（１フィート＝３０．４８センチ）である。同等のＬＥＤレトロフィット管形ランプに対して、ＬＥＤの密集アレイが、長いプリント回路基板（ＰＣＢ）上に取付けられる。ＬＥＤの数及びＰＣＢの長さが共に、ＬＥＤ管形ランプの費用を増大させる。したがって、ＬＥＤ間に大きいピッチ又は空間を有するリニア照明アプリケーション用の新規のアーキテクチャが求められている。
【課題を解決するための手段】
【０００４】
固体発光デバイス（ＬＥＤ）照明装置を製造する方法は、折畳み相互接続子によって直列に接続されたリードフレームのグループを有するリードフレームアセンブリを形成するステップを含む。次に、ＬＥＤがリードフレーム上にＬＥＤが取り付けられ、ＬＥＤの周囲に光学素子が配置される。次に、リードフレームアセンブリは、ＬＥＤを空間的に分布するように相互接続子が展開するように伸張される。光学素子をＬＥＤの周囲に配置する（位置付ける）ステップは、リードフレームアセンブリが伸張された後に、光学素子が所定の光パターンを提供するように、光学素子を方向付けるステップを含む。
【図面の簡単な説明】
【０００５】
【図１】図１は、プリント回路基板上に取付けられた発光ダイオードのアレイを有する従来の発光ダイオード管形ランプの断面平面図である。
【図２Ａ】図２Ａは、リードフレームアセンブリの平面図である。
【図２Ｂ】図２Ｂは、図２Ａのリードフレームアセンブリにおける第１及び第２のリードフレームの平面図を形成するように図２Ｃと組み合わせられる。
【図２Ｃ】図２Ｃは、図２Ａのリードフレームアセンブリにおける第１及び第２のリードフレームの平面図を形成するように図２Ｂと組み合わせられる。
【図２Ｄ】図２Ｄは、図２Ａのリードフレームアセンブリにおける最後のリードフレームの平面図である。
【図３】図３は、図２Ａのリードフレームアセンブリにおけるリードフレームに取付けられた光源の平面図である。
【図４】図４は、発光デバイス（ＬＥＤ）の等角図である。
【図５】図５は、図３のリードフレームアセンブリ上のＬＥＤの周囲に配置された１つのタイプの光学素子の平面図である。
【図６Ａ】図６Ａは、図５の伸張されたリードフレームアセンブリの平面図である。
【図６Ｂ】図６Ｂは、図６Ａの伸張されたリードフレームアセンブリの一部の等角図である。
【図７Ａ】図７Ａは、反射器間の絶縁ストリップの１つの構成にある反射器に対して固定される図６Ａの伸張されたリードフレームアセンブリの等角図である。
【図７Ｂ】図７Ｂは、図７Ａの伸張されたリードフレームアセンブリ及び反射器の２つのセクションの等角図である。
【図８】図８は、反射器間の絶縁ストリップの異なる構成にある反射器に対して固定される図６Ａの伸張されたリードフレームアセンブリの等角図である。
【図９】図９は、図７Ａの伸張されたリードフレームアセンブリ及び反射器を有する管形ランプの断面平面図である。
【図１０】図１０は、図９の管形ランプを製造する方法のフローチャートである。
【図１１】図１１は、図３のリードフレームアセンブリ上のＬＥＤの周囲に配置された異なるタイプの光学素子の平面図である。
【図１２】図１２は、ＬＥＤ上に取付けられた反射器カップの等角図である。
【図１３】図１３は、図１１のリードフレームアセンブリ上のＬＥＤの周囲に配置された光学素子の断面側面図である。
【図１４】図１４は、３列のリードフレームを有するリードフレームアセンブリの等角図である。
【図１５】図１５は、図１４のリードフレームアセンブリ上のＬＥＤ及び光学素子の等角図である。
【図１６】図１６は、伸張後の図１５のリードフレームアセンブリの等角図である。
【０００６】
図面は、すべて、本発明の実施形態にしたがって構成されている。様々な図面における同じ参照符号の使用は、同様又は同一の要素を示す。
【発明を実施するための形態】
【０００７】
図１は、従来の固体発光ダイオード管形ランプ１００の断面平面図である。管形ランプ１００は、Ｔ５、Ｔ８又はＴ１２蛍光管形ランプといった標準的な直線状蛍光管形ランプ又は任意の他の適切なランプの形状因子を有する。管形ランプ１００は、ガラス管１０２と、管形ランプが標準的な蛍光照明器具に接続できるように、当該ガラス管の２つの端に取付けられる２ピンコネクタ１０４Ａ、１０４Ｂとを含む。標準的な蛍光管形ランプが図示されているが、ＬＥＤの任意の他の分散使用も考えられ、本発明の範囲内に含まれる。
【０００８】
発光ダイオード１０６（一部にのみ符号を付している）のアレイが、ガラス管１０２の長さに沿って延在する大きいプリント回路基板（ＰＣＢ）１０８上に取付けられる。アレイは、通常、発光ダイオード１０６の３つのスタガード列からなるが、光を分散させるために、任意の適切な配置が考えられ、本発明の範囲内に含まれる。むらのある外観を回避するために、発光ダイオード１０６間の水平ピッチＰｈ及び垂直ピッチＰｖは、単一の均一に点灯する光源の外観を提供するように制御される。約０．５インチ（１インチ＝２．５４センチ）の一般的なピッチＰｈ及びＰｖでは、一般的な４フィートの長さの管形ランプ１００には、約３００個の発光ダイオードが必要となる。交互の列は、オフセットにされるが、例えば交互の列は、ピッチＰｈの半分、ずらされる。
【０００９】
ＰＣＢ１０８は、直列又は並列にある発光ダイオード１０６、又は、ＬＥＤの直列ストリングの組み合わせが並列に駆動される当該発光ダイオード１０６を、外部電源に接続する。ＰＣＢ１０８は、ガラス管１２の直径と長さとの積に略等しい面積を有する。ＰＣＢ１０８は、その構造は比較的単純であるが、多くのＬＥＤアプリケーションに比べて非常に大きい面積を有する。発光ダイオード１０６が多数であること及びＰＣＢ１０８の面積が大きいことによって、管形ランプ１００の費用が増大される。
【００１０】
伸張可能なリードフレームアセンブリが、ＰＣＢ１０８の代わりに使用されてもよい。リードフレームアセンブリは、折畳み相互接続子によって、機械的及び電気的に直列接続されたリードフレームを含む。各リードフレームは、アノードパッド及びカソードパッドを含む。光源がリードフレームに取付けられると、リードフレームアセンブリは、光源を空間的に分布させるために、伸張される。折畳み相互接続子の面積が小さいことにより、従来のＰＣＢに比べて、材料及び処理空間を節約する。
【００１１】
図２Ａは、本発明の１つ以上の実施形態におけるリードフレームアセンブリ２０２の平面図を示す。リードフレームアセンブリ２０２は、通常、製造工程の初期に使用される、折り畳まれた構成にある。後に、リードフレームアセンブリ２０２は、発光ダイオード管形ランプ内への配置のために、異なる構成に伸張される。以下の説明では、伸張孔２１４がリードフレームアセンブリ２０２の左下の隅にあるリードフレームセグメントの方向が使用される。セグメントとの用語は、リードフレームアセンブリ２０２の任意の通常の直線部材を指す。
【００１２】
リードフレームアセンブリ２０２は、リードフレーム２１０−１、２１０−２、２１０−３、２１０−４及び２１０−５のグループを含む。例えばリードフレーム２１０−１乃至２１０−５は、左から右に、列状に線形に配置される。各リードフレームは、矩形のカソードパッドと、カソードパッドを部分的に囲むように切られた大きいアノードパッドとを含む。図２Ａの左側から開始するに、折畳み相互接続子２１２は、最左端における伸張孔２１４と、リードフレーム２１０−１のアノードパッドに接続される最右端とを有する。折畳み相互接続子２１２は、通常、リードフレーム２１０−１の左側にある垂直セグメントと、通常、リードフレーム２１０−１の上にあるセグメントの折畳みセクションとを含む。
【００１３】
隣接するリードフレームの各対は、折畳み相互接続子によって接続される。リードフレーム２１０−１は、折畳み相互接続子２１６−１によって、リードフレーム２１０−２に接続される。折畳み相互接続子２１６−１は、リードフレーム２１０−１のカソードパッドに接続された最左端と、リードフレーム２１０−２のアノードパッドに接続された最右端とを含む。折畳み相互接続子２１６−１は、通常、リードフレーム２１０−１の下にあるセグメントの第１の折畳みセクションと、通常、リードフレーム２１０−１と２１０−２との間にある垂直セグメントと、通常、リードフレーム２１０−２の上にあるセグメントの第２の折畳みセクションとを含む。
【００１４】
リードフレーム２１０−２は、折畳み相互接続子２１６−２によって、リードフレーム２１０−３に接続され、リードフレーム２１０−３は、折畳み相互接続子２１６−３によって、リードフレーム２１０−４に接続され、リードフレーム２１０−４は、折畳み相互接続子２１６−４によって、リードフレーム２１０−５に接続される。折畳み相互接続子２１６−２、２１６−３及び２１６−４は、折畳み相互接続子２１６−１と同様に構成される。
【００１５】
折畳み相互接続子２１８は、リードフレーム２１０−５のカソードパッドに接続された最左端と、最右端における伸張孔２２０とを有する。折畳み相互接続子２１８は、通常、リードフレーム２１０−５の下にあるセグメントの折畳みセクションと、通常、リードフレーム２１０−５の右側にある垂直セグメントとを含む。特定のアプリケーションに応じて、リードフレームアセンブリ２０２は、より多くの又はより少ないリードフレームと、折畳み相互接続子要素とを含む（例えばリードフレーム２１０−１乃至２１０−ｎ。ただし、ｎは可変である）。
【００１６】
図２Ｂ及び図２Ｃは組み合わされて、本発明の１つ以上の実施形態におけるリードフレーム２１０−１及び２１０−２の平面図を示す。リードフレーム２１０−１は、カソードパッド２２１−１及びアノードパッド２２４−１を含む。カソードパッド２２２−１は、矩形で、アノードパッド２２４−１は、略矩形で、カソードパッドの周りにフィットする切欠き２２５−１を有する。アノードパッド２２４−１は、切欠き２２５−１の上の上部ウィング領域２２６−１と、切欠き２２５−１の下の下部ウィング領域２２８−１とを含む。ウィング領域２２６−１、２２８−１は、ガルウィングマウントを形成するように、後で曲げられる。リードフレーム２１０−１と同様に、リードフレーム２１０−２も、カソードパッド２２２−２と、切欠き２２５−２及びウィング領域２２６−２、２２８−２を有するアノードパッド２２４−２とを含む。リードフレーム２１０−３乃至２１０−５（図２Ａ）は、リードフレーム２１０−１及び２１０−２と同様に構成される。
【００１７】
上記のとおり、折畳み相互接続子２１２は、リードフレーム２１０−１に接続される。折畳み相互接続子２１２は、通常、リードフレーム２１０の左側にある垂直セグメント２１２−１を含む。垂直セグメント２１２−１は、一端における伸張孔２１４と、上部折畳みセクション２３２−１に接続されるもう一端とを有する。
【００１８】
上部折畳みセクション２３２−１は、矩形波のように成形され、垂直セグメント２１２−１に接続される一端と、リードフレーム２１０−１のアノードパッド２２４−１に接続されるもう一端とを有する。上部折畳みセクション２３２−１は、セグメント２１２−１から右方向に延在して、垂直セグメント２１２−３に接続する水平セグメント２１２−２を含み、当該垂直セグメント２１２−３は、水平セグメント２１２−４に接続するように下方向に延在する。水平セグメント２１２−４は、垂直セグメント２１２−５に接続するように右方向に延在し、当該垂直セグメント２１２−５は、水平セグメント２１２−６に接続するように上方向に延在する。水平セグメント２１２−６は、垂直セグメント２１２−７に接続するように右方向に延在し、当該垂直セグメント２１２−７は、水平セグメント２１２−８に接続するように下方向に延在する。水平セグメント２１２−８は、垂直セグメント２１２−９に接続するように右方向に延在し、当該垂直セグメント２１２−９は、水平セグメント２１２−１０に接続するように上方向に延在する。水平セグメント２１２−１０は、垂直セグメント２１２−１１に接続するように右方向に延在し、当該垂直セグメント２１２−１１は、リードフレーム２１０−１のアノードパッド２２４−１に接続するように下方向に延在する。代替案では、折畳み相互接続子２１２の上部折畳みセクションは、正弦波、のこぎり歯波の形状又は任意の他の適切な形状を有してもよい。
【００１９】
上記のとおり、リードフレーム２１０−１は、折畳み相互接続子２１６−１によって、リードフレーム２１０−２に接続される。折畳み相互接続子２１６−１は、通常、リードフレーム２１０−１の下にある下部折畳みセクション２３５−１と、通常、リードフレーム２１０−１と２１０−２との間にある垂直セグメント２３６−１と、通常、リードフレーム２１０−２の上にある上部折畳みセクション２３９−１とを含む。下部折畳みセクション２３５−１は、矩形波のように成形され、リードフレーム２１０−１のカソードパッド２２２−１に接続される一端と、垂直セグメント２３６−１に接続されるもう一端とを有する。下部折畳みセクション２３５−１は、水平セグメント２３４−２に接続するように下方向に延在する垂直セグメント２３４−１を有し、当該水平セグメント２３４−２は、垂直セグメント２３４−３に接続するように右方向に延在する。垂直セグメント２３４−３は、水平セグメント２３４−４に接続するように上方向に延在し、当該水平セグメント２３４−４は、垂直セグメント２３４−５に接続するように右方向に延在する。垂直セグメント２３４−５は、水平セグメント２３４−６に接続するように下方向に延在し、当該水平セグメント２３４−６は、垂直セグメント２３４−７に接続するように右方向に延在する。垂直セグメント２３４−７は、水平セグメント２３４−８に接続するように上方向に延在し、当該水平セグメント２３４−８は、垂直セグメント２３４−９に接続するように右方向に延在する。垂直セグメント２３４−９は、水平セグメント２３４−１０に接続するように下方向に延在し、当該水平セグメント２３４−１０は、垂直セグメント２３６−１に接続するように右方向に延在する。代替案では、折畳みセクション２３５−１は、正弦波、のこぎり歯波の形状又は任意の他の適切な形状を有してもよい。
【００２０】
垂直セグメント２３６−１は、リードフレーム２１０−１及び２１０−２間を通過する。垂直セグメント２３６−１は、下部折畳みセクション２３５−１に接続される下端と、上部折畳みセクション２３９−１に接続される上端とを有する。
【００２１】
上部折畳みセクション２３９−１は、矩形波のように成形され、垂直セグメント２３６−１に接続される一端と、リードフレーム２１０−２のアノードパッド２２４−２に接続されたもう一端とを有する。上部折畳みセクション２３９−１は、折畳み相互接続子２１２の上部折畳みセクション２３２−１と同様に構成される。
【００２２】
リードフレームアセンブリ２０２は、集合的に犠牲タイ２２１と呼ぶ犠牲タイを含む。犠牲タイは、折畳み相互接続子の一部を、同じ若しくは異なる折畳み相互接続子の他の一部、又は、アノード若しくはカソードパッドに接続する。犠牲タイ２２１は、リードフレームアセンブリ２０２が製造工程の間のハンドリングに対し十分に剛性であるように、当該リードフレームアセンブリ２０２に剛性を追加する。犠牲タイ２２１は後に除去されて、折畳み相互接続子２１２、２１６−１乃至２１６−４及び２１８（図２Ａ）が展開されて、リードフレーム２１０−１乃至２１０−５が分布される。
【００２３】
図２Ｂでは、犠牲タイ２２１は、通常、すべての折畳み相互接続子２１２、２１６−１乃至２１６−４及び２１８を作成するのに使用した工程と同じ工程で作成されるが、ハッチングされた領域として示される。このハッチングは、図中における犠牲タイ２２１を、処理後も残るリードフレームアセンブリ２０２の部分から区別するためだけに使用される。
【００２４】
図２Ｂでは、犠牲タイ２２１−１は、セグメント２１２−１を上部ウィング領域２２６−１に接続する。犠牲タイ２２１−２は、上部ウィング領域２２６−１をセグメント２１２−１１に接続する。犠牲タイ２２１−３は、セグメント２１２−１１をセグメント２３６−１に接続する。犠牲タイ２２１−４は、セグメント２３６−１を上部ウィング領域２２６−２に接続する。犠牲タイ２２１−５は、上部ウィング領域２２６−２を垂直セグメント２３９−１に接続する。犠牲タイ２２１−６は、セグメント２１２−１をセグメント２３４−１に接続する。犠牲タイ２２１−７は、セグメント２３４−１を下部ウィング領域２２８−１に接続する。犠牲タイ２２１−８は、下部ウィング領域２２８−１をセグメント２３６−１に接続する。犠牲タイ２２１−９は、セグメント２３６−１をセグメント２３４−２に接続する。犠牲タイ２２１−１０は、セグメント２３４−２を下部ウィング領域２２８−２に接続する。
【００２５】
折畳み相互接続子２１６−２、２１６−３及び２１６−４（図２Ａ）は、折畳み相互接続子２１６−１と同様に構成される。
【００２６】
図２Ｄは、本発明の１つ以上の実施形態におけるリードフレーム２１０−５の平面図を示す。リードフレーム２１０−５は、カソードパッド２２２−５と、切欠き２２５−５及びウィング領域２２６−５、２２８−５を有するアノードパッド２２４−５とを含む。
【００２７】
上記のとおり、リードフレーム２１０−５は、その端に伸張孔２２０を有する折畳み相互接続子２１８に接続される。折畳み相互接続子２１８は、通常、リードフレーム２１０−５の下にある下部折畳みセクションと、通常、リードフレーム２１０−５の右側にある垂直セグメント２１８−１とを含む。折畳み相互接続子２１８は、実質的に、逆の構成にある折畳み相互接続子２１２である。
【００２８】
図３は、本発明の１つ以上の実施形態において、リードフレーム２１０−１乃至２１０−５に、それぞれ、はんだ付けされる、そうでなければ電気的に接続される光源３０２−１、３０２−２、３０２−３、３０２−４及び３０２−５を示す。リードフレーム２１０−１乃至２１０−５に接続されると、ＬＥＤ３０２−１乃至３０２−５は、ＰＨｆｏｌｄｅｄの水平ピッチで離間される。リードフレームへの光源の取付けは、（図２Ａ及び図２Ｂにハッチングされたセグメントとして示される）犠牲タイ２２１が除去された後でも、リードフレームのカソードパッド及びアノードパッドを互いに機械的に結合する。光源３０２−１乃至３０２−５は、固体発光デバイス（ＬＥＤ）であってよい。
【００２９】
図４は、本発明の１つ以上の実施形態におけるリードフレーム２１０−１（図３）のカソードパッド２２２−１及びアノードパッド２２４−１にそれぞれ対応するカソードパッド４０２−１及びアノードパッド４０４−１を有する例示的なＬＥＤ３０２−１を示す。カソードパッド４０２−１及びアノードパッド４０４−１は、リードフレーム２１０−１のカソードパッド２２２−１及びアノードパッド２２４−１と同じ寸法に成形されていてもいなくてもよい。代替案では、カソードパッド４０２−１は、大体、アノードパッド２２４−１の中心の形状であってよい。図３を再び参照するに、ＬＥＤ３０２−２乃至３０２−５のカソードパッド及びアノードパッドは、ＬＥＤ３０２−１のパッドと同様に構成される。
【００３０】
ＬＥＤ３０２−１乃至３０２−５は、裸の発光ダイオードダイであっても、（例えばチップスケールパッケージ内に）プリパッケージされた発光ダイオードであってもよい。プリパッケージされた発光ダイオードは、サブマント又はインタポーザ上に取付けられた裸の発光ダイオードダイを有する。サブマウントは、セラミック基板と、金属相互接続層と、様々なパッドとを含む。セラミック基板は、機械的な支持を与え、発光ダイオードダイをセラミック基板の底面上の熱パッドに熱的に接続する。金属相互接続層は、発光ダイオードダイをセラミック基板の底面上のカソードパッド及びアノードパッドに接続する。プリパッケージされた発光ダイオードダイは、封入されてもされなくてもよい。
【００３１】
リードフレームアセンブリ２０２が伸張されると、ＬＥＤ３０２−１乃至３０２−５のスパース配置が管形ランプ内にもたらされ、ＬＥＤが管形ランプの長さに沿って暗い領域によって離された明るい点を生成する、むらのある外観が伴う。図５は、本発明の１つ以上の実施形態において、ＬＥＤ３０２−１乃至３０２−５の周囲にそれぞれ配置された光学素子５０２−１、５０２−２、５０２−３、５０２−４及び５０２−５を示す。光学素子５０２−１乃至５０２−５は、リードフレームアセンブリ２０２が伸張された後に、ＬＥＤ３０２−１乃至３０２−５間の空間に追加の光を向けることによって、むらのある外観を回避するように構成された非対称拡散レンズである。非対称拡散レンズ５０２−１乃至５０２−５は、ＬＥＤ３０２−１乃至３０２−５間の暗い領域を軽減するように伸張されたリードフレームアセンブリ２０２の長さに沿って、追加の光を向ける双方向性拡散レンズであってよい。双方向性拡散レンズ５０２−１乃至５０２−５は、２つの半放物線が交差する形状を有する。
【００３２】
双方向性拡散レンズ５０２−１は、拡散軸５０４−１に対して垂直なヌル軸よりも当該拡散軸に沿って両方向により多くの光を向ける。双方向性拡散レンズ５０２−１は、予め回転され、したがって、拡散軸５０４−１も、リードフレームアセンブリ２０２が伸張された（図７参照）後に、リードフレームアセンブリ２０２の長さに沿う「伸張」軸６０６（図６Ａ）といった所望の方向に沿って回転されて整列される。
【００３３】
予回転の量は、相互接続子パターン、リードフレームへの相互接続子の取付け点及び伸張孔の場所を含む、リードフレームアセンブリ２０２の幾何学形状と、伸張されたリードフレームアセンブリの最終長さとに依存する。図５に示されるリードフレームアセンブリ２０２の幾何学形状では、拡散軸５０４−１は、「引張り」軸５０９と実質的に平行であり、リードフレームアセンブリ２０２が通常の四角形状にあるときの「列」軸５０８から約４５度、予め回転される。引張り軸５０９は、２つの伸張孔２１４、２２０を通過する線であってよく、犠牲タイ２２１が除去された後、リードフレームアセンブリ２０２は、その線に沿って伸張される。列軸５０８は、リードフレームアセンブリ２０２が伸張される前に、リードフレーム２１０−１乃至２１０−５上のＬＥＤ３０２−１乃至３０２−５を通過する線である。
【００３４】
しかし、拡散軸５０４−１は、他の実施形態では、リードフレームアセンブリ２０２の幾何学形状及び伸張されたリードフレームアセンブリの最終長さに依存して、引張り軸５０９及び列軸５０８の両方に対し、角度が付けられてもよい。各実施形態において、拡散軸は、最終製品において、光を均一に分布させるために、リードフレームアセンブリを伸張した後、所望の方向に沿って整列される。
【００３５】
双方向性拡散レンズ５０２−２乃至５０２−５は、双方向性拡散レンズ５０２−１と同様に構成される。
【００３６】
図６Ａは、本発明の１つ以上の実施形態における伸張されたリードフレームアセンブリ６０２を示す。伸張された構成では、折畳み相互接続子２１２、２１６−１、２１６−２、２１６−３、２１６−４及び２１８（図２Ａ）は、それぞれ、実質的に直線の相互接続子６１２、６１６−１、６１６−２、６１６−３、６１６−４及び６１８を形成するように伸張される。相互接続子６１２は、展開された折畳み相互接続子２１２であり、垂直セグメント２１２−１（図２Ｂ及び図２Ｃ）と、上部折畳みセクション２３２−１とを含む。相互接続子６１２の一端は、リードフレーム２１０−１のアノードに接続される。
【００３７】
相互接続子６１６−１は、展開された折畳み相互接続子２１６−１であり、下部折畳みセクション２３５−１と、垂直セグメント２３６−１と、上部折畳みセクション２３９−１（図２Ｂ）とを含む。相互接続子６１６−１の一端は、リードフレーム２１０−１のカソードに接続され、もう一端は、リードフレーム２１０−２のアノードに接続される。他のリードフレーム２１０−２乃至２１０−５も同様に接続される。折畳み相互接続子２１２、２１６−１乃至２１６−４及び２１８は、リードフレームアセンブリ２０２が伸張された後、実質的に直線の相互接続子として示されているが、相互接続子６１２、６１６−１乃至６１６−４及び６１８は、幾つかの実施形態では、少し屈曲していてもよい。代替案では、幾つかの相互接続子セグメントの幾つかの部分は、屈曲部又は隆起部を有してもよい。
【００３８】
伸張後、ＬＥＤ３０２−１乃至３０２−５（レンズ５０２−１、５０２−２及び５０３−３が付随するＬＥＤ３０２−１乃至３０２−３のみが示される）は、伸張軸６０６に沿って置かれる。見てとれるように、双方向性拡散レンズ５０２−１の拡散軸５０４−１は、今度は、リードフレームアセンブリ６０２の長さに沿って伸張軸６０６と整列されている。双方向性拡散レンズ５０２−２乃至５０２−５は、双方向性拡散レンズ５０２−１と同様に向けられ、したがって、双方向性拡散レンズは、ＬＥＤ間の暗い領域を軽減するように、ＬＥＤ３０２−１乃至３０２−５からの追加の光を、リードフレームアセンブリ６０２の長さに沿って向ける。
【００３９】
ＬＥＤ３０２−４、双方向レンズ５０２−４、ＬＥＤ３０２−５及び双方向レンズ５０２−５は、リードフレーム２１０−４及び２１０−５を露出するように、図６Ａからは省略されている。リードフレーム２１０−４は、カソードパッド２２２−４と、ウィング領域２２６−４、２２８−４を有するアノードパッド２２４−４とを含む。カソードパッド２２２−４及びアノードパッド２２４−４は、切欠き又は間隙２２５−４によって、互いから電気的に絶縁されている。ＬＥＤ３０２−４（図５）が、カソードパッド２２２−４及びアノードパッド２２４−４上に取付けられると、パッドは、ＬＥＤによって物理的に及び電気的に接続される。同様に、リードフレーム２１０−５も、カソードパッド２２２−５と、ウィング領域２２６−５、２２８−５を有するアノードパッド２２５−４とを含む。カソードパッド２２２−５及びアノードパッド２２４−５は、切欠き又は間隙２２５−５によって、互いから電気的に絶縁されている。ＬＥＤ３０２−５（図５）が、カソードパッド２２２−５及びアノードパッド２２４−５上に取付けられると、パッドは、ＬＥＤによって物理的に及び電気的に接続される。図６Ｂは、本発明の１つ以上の実施形態において、アノード２２４−４のウィング領域２２６−４及び２２８−４が、リードフレーム２１０−４用のマウント７０４−４を形成するように屈曲され、アノード２２４−５のウィング領域２２６−５及び２２８−５が、リードフレーム２１０−５用のマウント７０４−５を形成するように屈曲されることが示される。
【００４０】
図７Ａは、本発明の１つ以上の実施形態において、反射器７０１−１、７０１−２、７０１−３、７０１−４及び７０１−５に対して方向付けられる伸張されたリードフレームアセンブリ７０２の一実施形態を示す。反射器７０１−１乃至７０１−５は、単一の均一に点灯する光源の外観を提供するように、ＬＥＤ３０２−１乃至３０２−５からの光を、所定の均一な拡散パターンに反射することによって、結果として得られる管の光のむらのある外観を回避するように配置される。反射器７０１−１乃至７０１−５は更に、ＬＥＤ３０２−１乃至３０２−５から熱を放散させるヒートシンクの機能も果たす。
【００４１】
リードフレームアセンブリ７０２は、次のとおりに反射器７０１−１乃至７０１−５に対して配置される。反射器７０１−１乃至７０１−５は、少なくとも部分的に湾曲された金属シートであってよい。隣接する反射器は、小さい間隙によって離間される。相互接続子６１２は、反射器７０２−１の一部に亘って懸架され、その最右端がリードフレーム２１０−１に接続される。ＬＥＤ３０２−１を有するリードフレーム２１０−１は、反射器７０２−１の質量中心付近に取付けられる。相互接続子６１６−１は、反射器７０２−１、７０２−２に亘って懸架され、その最左端がリードフレーム２１０−１に接続され、その最右端がリードフレーム２１０−２に接続される。ＬＥＤ３０２−２を有するリードフレーム２１０−２は、反射器７０２−２の質量中心付近に取付けられる。相互接続子６１６−２は、反射器７０２−２、７０２−３に亘って懸架され、その最左端がリードフレーム２１０−２に接続され、その最右端がリードフレーム２１０−３に接続される。ＬＥＤ３０２−３を有するリードフレーム２１０−３は、反射器７０２−３の質量中心付近に取付けられる。相互接続子６１６−３は、反射器７０２−３、７０２−４に亘って懸架され、その最左端がリードフレーム２１０−３に接続され、その最右端がリードフレーム２１０−４に接続される。ＬＥＤ３０２−４を有するリードフレーム２１０−４は、反射器７０２−４の質量中心付近に取付けられる。相互接続子６１６−４は、反射器７０２−４、７０２−５に亘って懸架され、その最左端がリードフレーム２１０−４に接続され、その最右端がリードフレーム２１０−５に接続される。ＬＥＤ３０２−５を有するリードフレーム２１０−５は、反射器７０２−５の質量中心付近に取付けられる。相互接続子６１８は、反射器７０２−５の一部に亘って懸架され、その最左端がリードフレーム２１０−５に接続される。
【００４２】
図７Ｂでは、本発明の１つ以上の実施形態における、リードフレーム２１０−１、ＬＥＤ３０２−１、反射器７０２−１、リードフレーム２１０−２、ＬＥＤ３０２−２及び反射器７０２−２からなる２つのセクションが示される。リードフレーム２１０−１上のアノード２２４−１のウィング領域２２６−１及び２２８−１（図２Ｂ及び図２Ｃ）は、リードフレーム２１０−１を反射器７０２−１に固定するガルウィングマウント７０４−１を形成するように屈曲される。マウント７０４−１は、反射器７０１−１の上の相互接続子６１２及び６１６−１の一端を懸架し、これにより、相互接続子６１２及び６１６−１の反射器７０２−１への短絡の可能性を回避する。リードフレーム２１０−２上のアノード２２４−２のウィング領域２２６−２及び２２８−２（図２Ｂ及び図２Ｃ）は、リードフレーム２１０−２を反射器７０２−２に固定するガルウィングマウント７０４−２を形成するように屈曲される。マウント７０４−２は、反射器７０１−２の上の相互接続子６１６−１及び６１６−２の一端を懸架し、これにより、相互接続子６１６−１及び６１６−２の反射器７０２−２への短絡の可能性を回避する。他のセクションは、同様に構成される。図７Ａを再び参照するに、相互接続子６１２、６１６−１乃至６１６−４、６１８と反射器７０２−１乃至７０２−５との間の短絡を阻止するために、絶縁ストリップ７０６−１、７０６−２、７０６−３、７０６−４、７０６−５及び７０６−６が、反射器７０１−１乃至７０１−５の長さに亘って、隣接する反射器間の間隙を横断して設けられる。絶縁ストリップ７０６−１は、相互接続子６１２の下で固定され、反射器７０２−１の左部を覆う。絶縁ストリップ７０６−２は、相互接続子６１６−１の下で固定され、反射器７０２−１の右部と反射器７０２−２の左部とを覆う。絶縁ストリップ７０６−３、７０６−４及び７０６−５は、絶縁ストリップ７０６−２と同様に構成される。絶縁ストリップ７０６−６は、相互接続子６１８の下で固定され、反射器７０２−５の右部を覆う。
【００４３】
或いは、図８に示されるように、絶縁ストリップ８０８−１、８０８−２、８０８−３及び８０８−４が、隣接する反射器間の間隙に沿って、反射器７０２−１乃至７０２−５の幅に沿って設けられていてもよい。絶縁ストリップ８０８−１は、反射器７０２−１及び７０２−２間の間隙の上に固定される。絶縁ストリップ８０８−２乃至８０８−４は、絶縁ストリップ８０８−１と同様に構成される。リードフレームアセンブリ２０２が、反射器７０２−１乃至７０２−５に対して固定されると、当該アセンブリは、管形ランプ内に挿入される。
【００４４】
図９は、本発明の１つ以上の実施形態における管形ランプ９００の断面平面図である。管形ランプ９００が、ＬＥＤレトロフィット管形ランプとして利用される場合、標準的な直線状蛍光管形ランプの形状因子を有する。この用途のために、管形ランプ９００は、透明管９０２（例えばガラス又はプラスチック）と、管形ランプが標準的な蛍光照明器具に接続できるように、透明管の２つの端に取付けられた２ピンコネクタ９０４Ａ、９０４Ｂとを含む。管形ランプ９００は更に、ＡＣ電源からＬＥＤ３０２−１乃至３０２−ｎ（ただしｎは可変である）を駆動するための電子機器も含んでもよい。管形ランプ９００は、用途に応じて、他の形状因子を有してもよい。
【００４５】
リードフレーム２１０−１乃至２１０−ｎ上のＬＥＤ３０２−１乃至３０２−ｎは、水平ピッチＰＨｆｏｌｄｅｄ（図３）よりも大きい水平ピッチＰＨｅｘｔｅｎｄｅｄで離間される。水平ピッチＰＨｅｘｔｅｎｄｅｄは、水平ピッチＰＨｆｏｌｄｅｄの大きさの２倍以上であってよい。ＬＥＤ３０２−１乃至３０２−ｎ間に約１インチの水平ピッチＰＨｅｘｔｅｎｄｅｄでは、４フィードの長さの管形ランプ９００には、４７、４８又は４９個のＬＥＤが必要である。なお、水平ピッチＰＨｅｘｔｅｎｄｅｄは、用途に応じて可変である。
【００４６】
図１及び図９の比較は、管形ランプ９００は、管形ランプ１００よりも少ない数のＬＥＤを使用することを示す。ＬＥＤ３０２−１乃至３０２−ｎがリードフレームアセンブリ２０２上に取付けられているので、ダイのサイズを縮小するために、チップスケールパッケージングを使用してもよい。更に、リードフレームアセンブリ２０２は、ＰＣＢ１０８よりも使用する材料が少ない。以下に説明されるように、リードフレームアセンブリ２０２を使用する管形ランプ９００の製造は、大規模に効率的に行われることが可能である。
【００４７】
図１０は、本発明の１つ以上の実施形態における管形ランプ９００を製造する方法１０００の例示的なフローチャートである。方法１０００は、１つ以上のステップによって示されるように１つ以上の動作、機能又は行為を含む。ステップは、順次的に示されているが、これらのステップは、並列に行われても、及び／又は、本明細書において説明される順序とは異なる順序で行われてもよい。また、様々なステップは、より少ない数のステップに組み合わされてもよく、追加のステップに分割されてもよく、及び／又は、所望の実施に基づいて除外されてもよい。方法１０００は、方法における経過を示す他の図面も活用して説明される。
【００４８】
方法１０００は、ステップ１００２において開始する。ステップ１００２では、リードフレームアセンブリが形成される。リードフレームアセンブリは、銅又はアルミニウムシートといったリードフレーム基板からスタンプ加工されるか又はエッチングされる。ステップ１００２の後にステップ１００４が続く。
【００４９】
ステップ１００４では、ＬＥＤが、リードフレームアセンブリ内のリードフレーム上に取付けられる。スクリーンプリンティングによって、はんだペーストがリードフレームのカソード及びアノードパッドに塗布される。ＬＥＤがピックされ、リードフレーム上に置かれる。ＬＥＤは、次に、はんだリフローによって、リードフレームに永久的にはんだ付けされる。ステップ１００４の後にステップ１００６が続く。
【００５０】
ステップ１００６では、双方向性拡散レンズといった光学素子が、リードフレームアセンブリ上の対応するＬＥＤの周囲に配置される。各双方向性拡散レンズは、予め回転され、したがって、その拡散軸も、リードフレームアセンブリが伸張された後、所望の方向に沿って回転及び整列される。予回転の量は、リードフレームアセンブリの幾何学形状及び伸張されたリードフレームアセンブリの最終長さに応じて、決定される。
【００５１】
双方向性拡散レンズは、ＬＥＤの上に直接的に成形されてもよい。複数の双方向性拡散レンズが、ＬＥＤ上に、並列に射出成形される。レンズ材料は更に、ＬＥＤの露出した表面領域を封入する機能も果たす。或いは、双方向性拡散レンズは、予備成形され、接着剤が塗布され、ピックされ、ＬＥＤ上に置かれてもよい。ステップ１００６の後にステップ１００８が続く。
【００５２】
ステップ１００８では、リードフレームアセンブリが、トリミングされて形成される。具体的には、アノードパッドのウィング領域が屈曲されて、ガルウィングマウントが形成され、犠牲タイが、リードフレームアセンブリをリードフレーム基板から自由にするように、また、相互接続子及びリードフレームを互いから自由にするように切断される。ステップ１００８の後にステップ１０１０が続く。
【００５３】
ステップ１０１０では、リードフレームアセンブリが伸張される。ステップ１０１０の後にステップ１０１２が続く。
【００５４】
ステップ１０１２では、伸張されたリードフレームアセンブリが、絶縁ストリップあり又はなしで、反射器に対して固定される。ステップ１０１２の後にステップ１０１４が続く。
【００５５】
ステップ１０１４では、反射器に対して固定された伸張されたリードフレームアセンブリが、透明管の中に挿入される。ステップ１０１４の後にステップ１０１６が続く。
【００５６】
ステップ１０１６では、リードフレームアセンブリの端子相互接続子が、電子機器に接続される。当該電子機器は、ガラス管の端に取付けられた２ピンコネクタに接続される。
【００５７】
他のタイプの光学素子が、リードフレームアセンブリ上のＬＥＤと共に使用されてもよい。図１１は、本発明の１つ以上の実施形態では、反射器カップである光学素子１１０２−１、１１０２−２、１１０２−３、１１０２−４及び１１０２−５を有するリードフレームアセンブリ２０２の平面図を示す。反射器カップ１１０２−１は、ＬＥＤ３０２−１の周囲に配置される。反射器カップ１１０２−２乃至１１０２−５は、ＬＥＤ３０２−２乃至３０２−５の周囲に同様に構成される。
【００５８】
図１２は、ＬＥＤからの光を抽出して方向付けるために、ＬＥＤ３０２−１に対して傾斜される１組の平面側壁１２０２、１２０４、１２０６及び１２０８を含む反射器カップ１１０２−１を示す。或いは、反射器カップ１１０２−１は、ＬＥＤ３０２−１を中心とした湾曲面を有する。図１３は、反射器カップ１１０２−１乃至１１０２−５をＬＥＤ３０２−１乃至３０２−５を固定するように反射器カップを埋め、及び／又は、ＬＥＤによって放射された光に対する屈折率整合媒体を提供する封入剤１３０２を示す。
【００５９】
反射器カップ１１０２−１乃至１１０２−５は、ＬＥＤ３０２−１乃至３０２−５上に直接的に成形されてもよい。反射器カップ１１０２−１乃至１１０２−５は、リードフレームアセンブリ２０２上のＬＥＤ３０２−１乃至３０２−５の周囲に並列に射出成形されてもよい。或いは、個々の又は反射器カップ１１０２−１乃至１１０２−５のフレームが予備成形され、接着剤が付与され、ピックされて、ＬＥＤ３０２−１乃至３０２−５の周囲に置かれてもよい。反射器カップ１１０２−１乃至１１０２−５のフレームが使用される場合、反射器カップは、ステップ１００８のトリミング及び屈曲工程の一部として、単体化されてもよい。
【００６０】
他のタイプのリードフレームアセンブリが、管形ランプ９００に使用されてもよい。図１４は、本発明の１つ以上の実施形態におけるリードフレームアセンブリ１４０２の等角図を示す。リードフレームアセンブリ１４０２は、３つのグループの直線的に配置されたリードフレームを有する。リードフレーム１４０４−１及び１４０４−２の左側カラムは、仮想ボックス１４０５によって、大まかに示される。リードフレーム１４０６−１、１４０６−２及び１４０６−３の真ん中のカラムは、仮想ボックス１４０７によって、大まかに示される。リードフレーム１４０８−１及び１４０８−２の右側カラムは、仮想ボックス１４０９によって、大まかに示される。真ん中のカラム１４０７におけるリードフレーム１４０６−１乃至１４０６−３は、左側カラム１４０５におけるリードフレーム１４０４−１、１４０４−２及び右側カラム１４０９におけるリードフレーム１４０８−１、１４０８−２からずらされている。
【００６１】
リードフレーム１４０４−１は、矩形カソードパッド１４１０−１と、矩形アノードパッド１４１２−１と、アノードパッドの１つの縁から内側に延在する三角形ウィング１４１４−１とを含む。リードフレーム１４０４−２は、リードフレーム１４０４−１と同様に構成される。
【００６２】
リードフレーム１４０６−１は、矩形カソードパッド１４１６−１と、矩形アノードパッド１４１８−１と、アノードパッドの２つの縁から延在する三角形ウィング１４２０−１、１４２２−１とを含む。リードフレーム１４０６−２及び１４０６−３は、リードフレーム１４０６−１と同様に構成される。
【００６３】
リードフレーム１４０８−１は、矩形カソードパッド１４２４−１、矩形アノードパッド１４２６−１と、アノードパッドの１つの縁から内側に延在する三角形ウィング１４２８−１とを含む。リードフレーム１４０８−２は、リードフレーム１４０８−１と同様に構成される。
【００６４】
ウィング１４１４−１、１４１４−２は、ウィング１４２０−１、１４２０−２、１４２０−３と互い違いにされ、ウィング１４２８−１、１４２８−２は、ウィング１４２２−１、１４２２−２及び１４２２−３と互い違いにされる。ウィング１４１４−１、１４１４−２、１４２０−１乃至１４２０−３、１４２２−１乃至１４２２−３、１４２４−１及び１４２４−２は、マウントを形成するように後に屈曲される。
【００６５】
相互接続子１４３０−１は、カソードパッド１４１０−１をアノードパッド１４１８−１に接続するように、ウィング１４１４−１及び１４２０−１間を通る。相互接続子１４３２−１は、アノードパッド１４１２−１をカソードパッド１４１６−２に接続するように、ウィング１４１４−１及び１４２０−２間を通る。相互接続子１４３０−２は、カソードパッド１４１０−２をアノードパッド１４１８−２に接続するように、ウィング１４１４−２及び１４２０−２間を通る。相互接続子１４３２−２は、アノードパッド１４１２−２をカソードパッド１４１６−３に接続するように、ウィング１４１４−２及び１４２０−３間を通る。
【００６６】
相互接続子１４３４−１は、カソードパッド１４２４−１をアノードパッド１４１８−１に接続するように、ウィング１４２２−１及び１４２８−１間を通る。相互接続子１４３６−１は、アノードパッド１４２６−１をカソードパッド１４１６−２に接続するように、ウィング１４２８−１及び１４２２−２間を通る。相互接続子１４３４−２は、カソードパッド１４２４−２をアノードパッド１４１８−２に接続するように、ウィング１４２２−２及び１４２８−２間を通る。相互接続子１４３６−２は、アノードパッド１４２６−２をカソードパッド１４１６−３に接続するように、ウィング１４２８−２及び１４２２−３間を通る。
【００６７】
図１５に示されるように、ＬＥＤ１５０２−１、１５０２−２、１５０２−３、１５０２−４、１５０２−５、１５０２−６及び１５０２−７は、それぞれ、リードフレーム１４０４−１、１４０４−２、１４０６−１乃至１４０６−３、１４０８−１及び１４０８−２上にはんだ付けされるか、そうでなければ固定される。光学素子１５０４−１、１５０４−２、１５０４−３、１５０４−４、１５０４−５、１５０４−６及び１５０４−７が、それぞれ、ＬＥＤ１５０２−１乃至１５０２−７上に配置される。各光学素子は、ＬＥＤ１５０２−１乃至１５０２−７の隣接する列間の領域を埋めるように、全方向に光を拡散する低いドーム形レンズ（「バットウィング」レンズとも知られる）であってよい。リードフレームアセンブリ１４０２は、図１６に示されるように、ＬＥＤ１５０２−１乃至１５０２−７が一定間隔を保つように、伸張軸１５０６に沿って両方向に伸張される。ＬＥＤ１５０２−１及び１５０２−２は、左側カラム１６０５内に置かれ、ＬＥＤ１５０２−３及び１５０２−５は、真ん中のカラム１６０７内に置かれ、ＬＥＤ１５０２−６及び１５０２−７は、右側カラム１６０９内に置かれる。伸張されたリードフレームアセンブリ１６０２は、マウント１６０４によって、反射器上に固定され、管形ランプの透明管内に置かれる。
【００６８】
ＬＥＤ１５０２−３のアノード１４１８−１（図１４）は、ＬＥＤ１５０２−１及び１５０２−６のカソード１４１０−１及び１４２４−１（図１４）のそれぞれに並列に接続される。ＬＥＤ１５０２−１のアノード１４１２−１及び１４２６−１（図１４）は、それぞれ、ＬＥＤ１５０２−４のカソード１４１６−２（図１４）に接続される。ＬＥＤ１５０２−４のアノード１４１８−２（図１４）は、ＬＥＤ１５０２−２及び１５０２−７のカソード１４１０−２及び１４２４−２（図１４）のそれぞれに並列に接続される。ＬＥＤ１５０２−２及び１５０２−７のアノード１４１２−２及び１４２６−２（図１４）は、それぞれ、ＬＥＤ１５０２−５のカソード１４１６−３（図１４）に接続される。
【００６９】
開示された実施形態の様々な他の適応及び特徴の組み合わせは、本発明の範囲内である。例えば管形ランプ９００は、標準的な円形又はＵ字型蛍光管形ランプの形状因子を有してもよい。相互接続子２１２、２１６−１乃至２１６−４及び２１８は柔軟性があるため、伸張されたリードフレームアセンブリ６０２は、管形ランプの形状に適合することができる。発光ダイオードではなく、レーザといった他の光源が使用されてもよい。大きいリードフレームアセンブリが、クロスバーによって並列に接続されたリードフレームアセンブリ２０２を組み合わせることによって構築されてもよい。各リードフレームは、光源を受けるための単一のダイ取付けパッドを有してもよい。当該パッドは、ワイヤボンドによって、対応する相互接続子に接続されるボンドパッドを有する。多数の実施形態が、以下の請求項の範囲に包含される。
【図１】
2015511774.tif 000003
【図２Ｃ】
2015511774.tif 000004
【図２Ｄ】
2015511774.tif 000005
【図３】
2015511774.tif 000006
【図４】
2015511774.tif 000007
【図５】
2015511774.tif 000008
【図６Ａ】
2015511774.tif 000009
【図７Ａ】
2015511774.tif 000010
【図７Ｂ】
2015511774.tif 000011
【図８】
2015511774.tif 000012
【図１１】
2015511774.tif 000013
【図１２】
2015511774.tif 000014
【図１３】
2015511774.tif 000015
【図１４】
2015511774.tif 000016
【図１５】
2015511774.tif 000017
【図１６】
2015511774.tif 000018
【図２Ａ】
2015511774.tif 000019
【図２Ｂ】
2015511774.tif 000020
【図６Ｂ】
2015511774.tif 000021
【図９】
2015511774.tif 000022
【図１０】
2015511774.tif 000023
【国際調査報告】
2015511774.tif 000024
2015511774.tif 000025
2015511774.tif 000026